(57)【特許請求の範囲】
【請求項１】
本体部と、前記本体部の内部に位置しネットワーク接続に用いられるネットワーク基板と、を有する印字装置であって、
前記ネットワーク基板に設けられ、ネットワーク上で該印字装置を識別するための識別番号としてのＭＡＣアドレスが視認可能な状態で記載される識別番号記載部と、
前記本体部に設けられ、透明な部材で形成されており、前記識別番号記載部を当該印字装置の外側から視認できる視認部としての透過部と、を有し、
前記ネットワーク基板は、
それの周辺部に設けられ、ネットワークケーブルを接続するためのコネクタ部を有し、
前記識別番号記載部は、前記ネットワーク基板に貼り付け可能なラベルにより構成されることを特徴とする印字装置。
【請求項２】
前記識別番号記載部は、前記コネクタ部周辺に位置する、
ことを特徴とする請求項１に記載の印字装置。
【請求項３】
前記視認部は、印字済み印字媒体の排出方向とは反対側に位置する、
ことを特徴とする請求項１または請求項２に記載の印字装置。
【発明の詳細な説明】
【技術分野】
【０００１】
本発明は、本体内部に設置される基板の識別番号を印字装置の外側から視認することができる印字装置に関する。
【背景技術】
【０００２】
従来、種々の印字装置が提案されている。例えば、下記特許文献１には、ネットワーク接続が可能な印字装置が記載されている。
【０００３】
【特許文献１】特開２００７−３１７１５７号公報
【発明の開示】
【発明が解決しようとする課題】
【０００４】
ネットワーク接続が可能な機器（ネットワーク機器）には「Media Access Control address」（以下、「ＭＡＣアドレス」と称する。）が付されている。ＭＡＣアドレスは、各ネットワーク機器に固有の識別番号である。印字装置をネットワーク接続可能に構成する場合、該印字装置が有するネットワーク接続のための基板（ネットワーク基板）には、ＭＡＣアドレスが付与される。このＭＡＣアドレスは、ネットワーク基板上に記載されることがある。しかしながら、ネットワーク基板は、印字装置本体内部に設置されるため、ネットワーク基板上に記載されたＭＡＣアドレスを確認するには、印字装置を分解する必要がある。
【０００５】
本発明は、上記問題点を解決するためになされたものであり、印字装置外側からでも基板上に記載された識別番号を確認することができる印字装置等を提供することを目的とする。
【課題を解決するための手段】
【０００６】
本発明の一側面である請求項１に係る印字装置は、本体部と、前記本体部の内部に位置しネットワーク接続に用いられるネットワーク基板と、を有する印字装置であって、前記ネットワーク基板に設けられ、ネットワーク上で該印字装置を識別するための識別番号としてのＭＡＣアドレスが視認可能な状態で記載される識別番号記載部と、前記本体部に設けられ、透明な部材で形成されており、前記識別番号記載部を当該印字装置の外側から視認できる視認部としての透過部と、を有し、前記ネットワーク基板は、それの周辺部に設けられ、ネットワークケーブルを接続するためのコネクタ部を有し、前記識別番号記載部は、前記ネットワーク基板に貼り付け可能なラベルにより構成されることを特徴とする。
【０００７】
【０００８】
また、請求項２に係る印字装置は、請求項１の印字装置であって、前記識別番号記載部は、前記コネクタ部周辺に位置することを特徴とする。
【０００９】
また、請求項３に係る印字装置は、請求項１または２の印字装置であって、前記視認部は、印字済み印字媒体の排出方向とは反対側に位置することを特徴とする。
【発明の効果】
【００１０】
以上説明したことから明らかなように、請求項１記載の印字装置は、ネットワーク基板は、識別番号が視認可能な状態で記載される識別番号記載部を有し、前記本体部に設けられた視認部により、前記識別番号が印字装置の外側から視認することができる。これにより、印字装置を分解することなく識別番号を視認することができる。また、請求項１記載の印字装置では、前記基板がネットワーク接続に用いられる基板とされ、また、前記識別番号がネットワーク上で識別される番号としてのＭＡＣアドレスとされている。
【００１１】
また、請求項２記載の印字装置は、さらに、ネットワークケーブルの接続作業中に、前記識別番号を容易に確認することができる。また、請求項３記載の印字装置は、さらに、印字済み印字媒体の搬送中であっても前記識別番号を容易に確認することができる。
【発明を実施するための最良の形態】
【００１２】
（第１実施形態）
本発明の一実施形態である第１実施形態の印字装置について、図面を参照しつつ詳細に説明する。
【００１３】
図１は、本実施形態に係る印字装置及び接続されたコンピュータの概略構成図である。
本実施形態の印字装置１００は、ロールシートに印刷する印字装置であり、図１に示すように、コンピュータ５００と接続することができる。このとき、コンピュータ５００と印字装置１００は、ＵＳＢ（Universal Serial Bus）、及び／または、ＬＡＮ（Local Area Network）を介して接続される。
コンピュータ５００と印字装置１００は、種々の情報を送受信することができる。また、印字装置１００は、コンピュータ５００から送信された信号に基づいて、印字制御を行うことができる。
【００１４】
次に図２乃至図４を参照して、印字装置１００の外観について説明する。図２は、印字装置１００の前側からの斜視図である。図３は、印字装置１００の後側からの斜視図である。図４は、図３とは角度を変えて見た後側からの斜視図である。
【００１５】
図２に示されるように、印字装置１００は、開閉自在に構成されたカバー１０３を有している。カバー１０３は、閉状態において、後述するロールシートホルダ収納部を覆っている。図３に示すように、印字装置１００は、後部にカバー軸部１０６を有し、カバー１０３は、カバー軸部１０６を軸にして開閉される。また、印字装置１００は、印字済みのロールシートを排出する排出部１０５を、印字装置１００の前側に備えている。また、印字装置１００は、カバー１０３と排出部１０５との間にボタン部１０４を有している。ボタン部１０４には、電源ボタン及び各種操作ボタンが配置されている。
また、印字装置１００は、その後部にＵＳＢコネクタ部１２１、ＬＡＮコネクタ部１２２、シリアルコネクタ部１２３、電源コネクタ部１２４を有する。
【００１６】
ＵＳＢコネクタ部１２１には、ＵＳＢケーブルが接続される。印字装置１００は、ＵＳＢケーブルを介して他の機器と接続することができる。ＬＡＮコネクタ部１２２には、ＬＡＮケーブルが接続される。印字装置１００は、ＬＡＮケーブルを介して他の機器と接続することができる。シリアルコネクタ部１２３には、ＲＳ−２３２Ｃ規格のケーブルが接続される。印字装置１００は、シリアルケーブルを介して他の機器と接続することができる。電源コネクタ部１２４には、電源コードが接続される。電源コードを介して、印字装置１００に電源が供給される。
なお、図３に示される規格以外のケーブルを接続できるように構成してもよい。
【００１７】
図４に示されるように、ＬＡＮコネクタ部１２２の周辺に、透過部１０７が設けられている。透過部１０７は、透明な部材（例えば、透明プラスチック）で形成されている。透過部１０７を介して印字装置１００の内部が確認される。
【００１８】
次に、図５を参照して印字装置１００の内部構成について説明する。図５は、印字装置１００にロールシートが装着された状態における印字装置１００の断面図である。 
【００１９】
図５に示すように、印字装置１００には、ロールシートホルダ収納部４が設けられている。このロールシートホルダ収納部４には、ロールシート３Ａが巻回されたロールシートホルダ３が収納されている。また、ロールシートホルダ収納部４の前方には、ロールシート３Ａに感熱印字を行うサーマルヘッド３１と、サーマルヘッド３１の上部であってサーマルヘッド３１に対向してプラテンローラ２６がある。なお、プラテンローラ及びサーマルヘッドによる印字動作は公知技術であるので、説明を省略する。サーマルヘッド３１及びプラテンローラ２６のさらに前方には、印字済みのロールシート３Ａを切断するカッタユニット８がある。印字装置１００におけるカッタユニット８は公知であるので説明を省略する。
【００２０】
印字媒体であるロールシート３Ａは、プラテンローラ２６及びサーマルヘッド３１によって印字可能な種々のものを用いることができる。例えば、自己発色性を有する長尺状の感熱シート（いわゆる、サーマルペーパー）、該感熱シートの片面に粘着剤を介して剥離紙が貼り合わされた長尺状の感熱シート、該感熱シートによって形成されるダイカットラベルシートを用いることができる。また、ロールシートの裏面には、所定間隔でエンコーダマークを形成してもよい。該エンコーダマークは、印字装置１００が有する不図示のマーク検出センサによって読み取られ、ロールシートの搬送制御に使用される。
【００２１】
ロールシートホルダ３には、不図示のシート判別部が所定の位置に配置されている。シート判別部には、該ロールシートホルダ３に巻回されているロールシート３Ａの種別等を示すためのセンサ孔が設けられている。センサ孔は、印字装置１００が有する不図示のシート判別センサによって検知される。シート判別センサは、例えば、プッシュ式のマイクロスイッチで構成することができる。
【００２２】
また、印字装置１００は、不図示のＣＰＵ、ＲＯＭ、フラッシュメモリ、ＲＡＭ、入出力インタフェース（Ｉ／Ｆ）、通信用インタフェース（Ｉ／Ｆ）等を備えている。また、これらの要素は、印字装置１００の基板部に設けられている。これらの要素は、バス線により相互に接続されており、データの送受信を行うことができる。
【００２３】
ＲＯＭは、各種のプログラム及びデータが記憶される。ＣＰＵは、ＲＯＭに記憶されている各種のプログラムに基づいて各種の演算を行う。フラッシュメモリには、種々のデータが記憶されている。また、フラッシュメモリは、電源がオフされても記憶内容を保持することができる。ＲＡＭには、ＣＰＵにより演算された各種の演算結果が一時的に記憶される。入出力Ｉ／Ｆには、種々のセンサ及び種々の駆動回路が接続される。通信用Ｉ／Ｆには、上述した通信に用いられるコネクタ部が接続される。
【００２４】
本実施形態の印字装置１００は、上述したとおり、ＬＡＮによって他の機器との接続が可能である。このため、印字装置１００の基板部には、ＬＡＮ接続のための基板（以下、「ネットワーク基板」という。）が含まれる。印字装置１００のネットワーク基板１２０は、図５に示すように、印字装置１００の後側下部にある。ネットワーク基板１２０には、ＭＡＣアドレスが付与されている。ＭＡＣアドレスは、ネットワーク上で該基板を識別するための固有の番号である。ＭＡＣアドレスは、ネットワーク基板１２０上の所定のメモリに記憶されている。
【００２５】
ＭＡＣアドレスをネットワーク基板１２０の表面に記載することにより、ＭＡＣアドレスを視認することができる。しかしながら、印字装置１００の組み立て後は、ネットワーク基板１２０は、印字装置１００の内部に配置されるため、印字装置１００の外側からＭＡＣアドレスを視認することができない。そのため、印字装置１００を利用するユーザが視認によってＭＡＣアドレスを確認しようとする場合は、印字装置１００を分解する必要 
がある。
【００２６】
また、印字装置１００の製造工程には、ＭＡＣアドレスの確認工程が含まれる。この確認工程では、重複するＭＡＣアドレスの不存在、及び、ネットワーク基板１２０表面に記載されたＭＡＣアドレスとネットワーク基板１２０上のメモリ内のＭＡＣアドレスの一致が確認される。このとき、ネットワーク基板１２０表面に記載されたＭＡＣアドレスが印字装置１００の外側から見えない場合は、該印字装置の組立工程の前に、上記確認工程を設定しなければならないという制約が生じる。すなわち、印字装置１００の製造工程の自由度が制限されることになる。
【００２７】
本発明の第１実施形態においては、ネットワーク基板１２０に印刷されたＭＡＣアドレスが、印字装置１００の外側から確認できるように構成されている。
【００２８】
前記したとおり、透過部１０７は、透明な部材（例えば、透明プラスチック）で形成されている。透過部１０７をＬＡＮコネクタ部１２２の周辺に配置することにより、ＬＡＮケーブルの接続作業中に印字装置１００の内部を容易に視認することができる。また、ＬＡＮコネクタ部１２２が、印字装置１００の後部（すなわち、印字済み印字媒体の搬送方向とは反対側）に位置しているため、印字済み印字媒体の搬送中であっても、印字装置１００の内部を容易に視認することができる。
【００２９】
図６は、本実施形態におけるネットワーク基板の概略斜視図である。図６に示されるように、ネットワーク基板１２０には、情報記載部１２５が、ＬＡＮコネクタ部１２２の周辺に設けられている。また、情報記載部１２５には、例えば、オクテット表現でＭＡＣアドレスが記載され、また、該ＭＡＣアドレスを表現するためのバーコードが印字されている（以下、このような表現形式のＭＡＣアドレスを「印刷ＭＡＣアドレス」と称する。）。バーコードは、印字装置１００の製造工程に含まれる確認工程において用いられる。また、情報記載部１２５の記載内容は、不図示のデータベースにおいて管理されている。また、ＭＡＣアドレスは、ネットワーク基板１２０が有する不図示のメモリに記憶されている。また、情報記載部１２５に記載される印刷ＭＡＣアドレスと不図示のメモリに記憶されるＭＡＣアドレスの内容とが一致するように管理されている。
【００３０】
情報記載部１２５は、ネットワーク基板１２０に貼り付け可能なラベルにより構成することができる。この場合、そのラベルには予め印刷ＭＡＣアドレスが記載されており、ネットワーク基板１２０のメモリにＭＡＣアドレスを書き込むタイミングで、該ＭＡＣアドレスと同じ内容が記載されたラベルが、ネットワーク基板１２０に貼り付けられる。これにより、情報記載部１２５の内容とメモリ内の内容とを確実に一致させることができる。
【００３１】
図５に示されるように、ネットワーク基板１２０が印字装置１００の内部に取り付けられた状態において、情報記載部１２５の上側に透過部１０７が位置している。これにより、ユーザは、印字装置１００を分解することなくＭＡＣアドレスを視認することができる。また、印字装置１００の製造工程において、該印字装置の組立工程のあとにＭＡＣアドレスの確認工程を設定することができるので、製造工程の自由度を高めることができる。
【００３２】
（第２実施形態）
次に、本発明の一実施形態である第２実施形態の印字装置について説明する。以下の説明においては、上述した第１実施形態と異なる部分について説明する。
図７は、第２実施形態の印字装置の概略斜視図である。図７に示されるように、印字装置２００の後方部には、矩形穴が形成されている。
【００３３】
図８は、本実施形態のネットワーク基板の概略斜視図である。図８に示すように、ネッ 
トワーク基板２２０には、情報記載部２２５が、ＬＡＮコネクタ部２２２の周辺に設けられている。上述した第１実施形態と同じように、情報記載部２２５には、印刷ＭＡＣアドレスが記載されている。また、情報記載部２２５上には、透過部材２２６が設けられている。透過部材２２６は、透明な部材（例えば、透明プラスチック）で形成されている。透過部材２２６を介して情報記載部２２５に記載されたＭＡＣアドレスが認識される。また、透過部材２２６の断面は、「コの字」である。透過部材２２６にフックを構成し、該透過部材２２６を該フックを介してネットワーク基板２２０に装着してもよい。また、接着剤を介してネットワーク基板２２０に装着してもよい。
【００３４】
情報記載部２２５は、ネットワーク基板２２０に貼り付け可能なラベルにより構成することができる。この場合、そのラベルには予め印刷ＭＡＣアドレスが記載されており、ネットワーク基板２２０のメモリにＭＡＣアドレスを書き込むタイミングで、該ＭＡＣアドレスと同じ内容が記載されたラベルが、ネットワーク基板２２０に貼り付けられる。これにより、情報記載部２２５の内容とメモリ内の内容とを確実に一致させることができる。
【００３５】
図９は、印字装置２００の断面図である。図９に示されるように、ネットワーク基板２２０が印字装置２００の内部に取り付けられた状態において、透過部材２２６の一部分が、印字装置２００の矩形穴に嵌入する。これにより、ユーザは、印字装置２００を分解することなくＭＡＣアドレスを視認することができる。また、印字装置２００の製造工程において、該印字装置の組立工程のあとにＭＡＣアドレスの確認工程を設定することができるので、製造工程の自由度を高めることができる。また、透過部材２２６と矩形穴との間に大きな隙間は生じないため、印字装置２００の内部へのゴミ等の入り込みを防ぐことができる。
【００３６】
（第３実施形態）
次に、本発明の一実施形態である第３実施形態の印字装置について説明する。以下の説明においては、上述した第１実施形態と異なる部分について説明する。
第３実施形態の印字装置３００の構成は、上述した第２実施形態の印字装置２００と殆ど同じである。
【００３７】
図１０は、本実施形態のネットワーク基板の概略斜視図である。図１０に示すように、ネットワーク基板３２０には、隆起部材３２６が、ＬＡＮコネクタ部３２２の周辺に設けられている。また、隆起部材３２６上には、情報記載部３２５が設けられている。情報記載部３２５には、ネットワーク基板３２０に付与された印刷ＭＡＣアドレスが記載されている。また、隆起部材３２６の断面は、「コの字」である。隆起部材３２６にフックを構成し、該フックを介して隆起部材３２６をネットワーク基板３２０に装着してもよい。また、接着剤を介してネットワーク基板３２０に装着してもよい。
【００３８】
情報記載部３２５は、隆起部材３２６に貼り付け可能なラベルにより構成することができる。この場合、そのラベルには予め印刷ＭＡＣアドレスが記載されており、ネットワーク基板３２０のメモリにＭＡＣアドレスを書き込むタイミングで、該ＭＡＣアドレスと同じ内容が記載されたラベルが、予めネットワーク基板３２０に取り付けられている隆起部材３２６に貼り付けられるよう構成することができる。これにより、情報記載部３２５の内容とメモリ内の内容とを確実に一致させることができる。
【００３９】
また、情報記載部３２５としてのラベルには予め印刷ＭＡＣアドレスを記載しておき、そのラベルを隆起部材３２６に貼り付け、その後、ネットワーク基板３２０のメモリにＭＡＣアドレスを書き込むタイミングで、該ＭＡＣアドレスと同じ内容が記載されたラベルを有する隆起部材３２６が、予めネットワーク基板３２０に取り付けられるよう構成することができる。これにより、情報記載部３２５の内容とメモリ内の内容とを確実に一致さ 
せることができる。
【００４０】
図１１は、印字装置３００の断面図である。図１１に示されるように、ネットワーク基板３２０が印字装置３００の内部に取り付けられた状態において、隆起部材３２６の上側に、印字装置３００の矩形穴が位置している。これにより、情報記載部３２５が、印字装置３００の矩形穴から外部に露出することになる。これにより、ユーザは、印字装置３００を分解することなくＭＡＣアドレスを視認することができる。また、印字装置３００の製造工程において、該印字装置の組立工程のあとにＭＡＣアドレスの確認工程を設定することができるので、製造工程の自由度を高めることができる。また、隆起部材３２６と矩形穴との間に大きな隙間は生じないため、印字装置３００の内部へのゴミ等の入り込みを防ぐことができる。
【００４１】
以上説明したとおり、本発明は、ネットワーク基板上に識別番号（例えば、ＭＡＣアドレス）を記載し、該識別番号を外側から視認できる構成としたので、ユーザは、印字装置を分解することなく識別番号を視認することができる。また、印字装置の製造工程において、該印字装置の組立工程のあとに識別番号の確認工程を設定することができるので、製造工程の自由度を高めることができる。
【００４２】
なお、本発明は上記第１実施形態乃至第３実施形態に限定されることはなく、本発明の要旨を逸脱しない範囲内で種々の改良、変形が可能であることはいうまでもない。例えば、上述した第１実施形態乃至第３実施形態においては、情報記載部にＭＡＣアドレスが記載されるものとして説明を行ったが、情報記載部に記載される情報はどのようなものであってもよい。
【図面の簡単な説明】
【００４３】
【図１】本発明の第１実施形態における印字装置及び接続されたコンピュータの概略構成図である。
【図２】本発明の第１実施形態における印字装置の概略斜視図である。
【図３】本発明の第１実施形態における印字装置の概略斜視図である。
【図４】本発明の第１実施形態における印字装置の概略斜視図である。
【図５】本発明の第１実施形態における印字装置の断面図である。
【図６】本発明の第１実施形態におけるネットワーク基板の概略斜視図である。
【図７】本発明の第２実施形態における印字装置の概略斜視図である。
【図８】本発明の第２実施形態におけるネットワーク基板の概略斜視図である。
【図９】本発明の第２実施形態における印字装置の断面図である。
【図１０】本発明の第３実施形態におけるネットワーク基板の概略斜視図である。
【図１１】本発明の第３実施形態における印字装置の断面図である。
【符号の説明】
【００４４】
１００  印字装置
１０７  透過部
１２０  ネットワーク基板
１２５  情報記載部
２００  印字装置
２２０  ネットワーク基板
２２５  情報記載部
２２６  透過部材
３００  印字装置
３２０  ネットワーク基板
３２５  情報記載部 
３２６  隆起部材  
【図１】
0004894800.tif 000002
【図２】
0004894800.tif 000003
【図３】
0004894800.tif 000004
【図４】
0004894800.tif 000005
【図５】
0004894800.tif 000006
【図６】
0004894800.tif 000007
【図７】
0004894800.tif 000008
【図８】
0004894800.tif 000009
【図９】
0004894800.tif 000010
【図１０】
0004894800.tif 000011
【図１１】
0004894800.tif 000012